(57)【要約】【課題】寝具或いはエアーマッサージ機用のマット装置においてマット本体及びマット本体の上面に敷かれるパッド及びマット本体を容易に乾燥しうるマット用乾燥装置を提供すること。【解決手段】マット本体の上面と綿パッドとの間に、膨張収縮可能に形成された複数のエアーバッグと、マット本体の上面と綿パッドとの間に挿入されてエアーを吹き出すエアー吹出具とを配設し、マット本体乾燥時にエアーバッグとエアー吹出具とにエアーポンプから圧縮エアーを供給する。【選択図】        図１
2004195116.tif 000002
【特許請求の範囲】
【請求項１】
人体支持台としてのマット本体と、マット本体の上面に敷かれる綿パッドと、マット本体の上面と綿パッドとの間に挿入される膨張収縮可能に形成された複数のエアーバッグと、マット本体の上面と綿パッドとの間に挿入されてエアーを吹き出すエアー吹出具と、エアーバッグ及びエアー吹出具にエアーを供給するエアーポンプとからなることを特徴とするマット用乾燥装置。
【請求項２】
前記エアーポンプの吐出側給気回路にエアーヒータが設けられていることを特徴とする請求項１記載のマット用乾燥装置。
【請求項３】
前記複数のエアーバッグは、膨張収縮されて人体をマッサージし得るように構成されていることを特徴とする請求項１又は２記載のマット用乾燥装置。
【発明の詳細な説明】
【０００１】
【発明の属する技術分野】
本発明は、寝具或いはエアーマッサージ機の人体支持台として用いられるマット装置に関し、特にこのようなマット装置用の乾燥装置に関する。
【０００２】
【従来の技術】
従来、寝具として、或いは、エアーマッサージ機の人体支持台などに用いられるマット装置は、例えば特許文献１に記載されているように、マット本体の上面に表装シート（本発明では綿パッドがこれに相当する）敷かれて用いられている。また、このようなマット装置において、表装シートやマット本体を手軽に乾燥し得る乾燥装置については未だ適切なものが開発されていない。
【０００３】
【特許文献１】
特開平１０−１１８１４５号公報
【０００４】
【発明が解決しようとする課題】
このため、表装シートやマット本体の上面は人体から発散する水分などにより湿気が含まれ易い。また、一旦表装シートやマット本体に含まれた湿気は、マット本体上に略全面が接触しているため乾燥しにくい。このため、表装シートやマット本体は、長期間使用されていると湿気を含み非衛生的とまる、また、使用上も不快となる。
【０００５】
本発明はこのような従来技術の問題点に着目してなされたものである。その目的とするところは、寝具或いはエアーマッサージ機用のマット装置においてマット本体及びマット本体の上面に敷かれるパッドを容易に乾燥しうるマット用乾燥装置を提供することにある。
【０００６】
【課題を解決するための手段】
上記目的を達成するために、本発明に係るマット用乾燥装置は、人体支持台としてのマット本体と、マット本体の上面に敷かれる綿パッドと、マット本体の上面と綿パッドとの間に挿入される膨張収縮可能に形成された複数のエアーバッグと、マット本体の上面と綿パッドとの間に挿入されてエアーが供給されたときに膨張しながらエアーを吹き出すエアー吹出具と、エアーバッグ及びエアー吹出具にエアーを供給するエアーポンプとからなることを特徴とする。
【０００７】
このマット用乾燥装置によれば、マット本体使用後にエアーポンプを運転することにより、エアーバッグを膨張させるとともに、マット本体とパッドとの間にエアー吹出具からエアーを送り込んで、パッドをテント状に張らせてパッドを通してエアーを放出させる。これによりパッド及びマット本体を乾燥させることができる。したがって、このマット用乾燥装置を備えたマット装置では、気軽にパッド及びマット本体を乾燥させることができ、気持ちよく使用することができる。
【０００８】
また、前記エアーポンプの吐出側給気回路にエアーヒータを設けてもよい。
このように構成すれば、マット本体とパッドとの間に吹き込むエアーが温風となるので、短時間でパッド及びマット本体を乾燥させることができる。
【０００９】
また、前記複数のエアーバッグを、膨張収縮させて人体をマッサージし得るように構成してもよい。
このように構成すれば、パッド及びマット本体を乾燥するのに必要なエアーバッグを、マッサージ用のエアーバッグと兼用することができる。したがって、このマット用乾燥装置を備えたマット装置でエアーマッサージを行うことが可能となる。
【００１０】
【発明の実施の形態】
以下、この発明をマット装置に具体化した実施の形態を図１〜図４に基づいて説明する。なお、図１は本発明の実施の形態に係るマット装置の外観斜視図であり、図２は同マット装置の断面図であって、エアーバッグ及びエアーホースを膨張させた状態を示す図であり、図３は同マット装置の断面図であって、エアーバッグ及びエアーホースを収縮させた状態を示す図あり、図４は同マット装置における給排気回路図である。
【００１１】
本実施の形態に係るマット装置は、マット本体１、マット本体１上に敷かれる綿パッド２、マット本体１上面と綿パッド２との間に配設された６個のエアーバッグ３、同じくマット本体１上面と綿パッド２との間に配設されたエアーホース４エアーバッグ３及びエアーホース４にエアーを給排気する給排気回路５などから構成されている。
【００１２】
マット本体１は、人体支持台として平面視長方形状でかつ肉厚に形成されている。また、マット本体１は、例えば通気性を有する発泡ウレタンフォームなどからなる軟質部材により構成されている。
綿パッド２は、取り外し可能にマット本体１上に敷かれるものである。
エアーバッグ３は、給排気回路５から圧縮エアーが供給されないときは平たく収縮しているが、給排気回路５からエアーが供給されることにより膨張し、綿パッド２をテント状に張る時の支柱を構成する。エアーバッグ３は、このために、本実施の形態においては図示のように四角及び長手方向中間部に計６個のエアーバッグ３が配置されている。
【００１３】
エアーホース４は、エアーバッグ３が膨張されると同時にマット本体１の上面と綿パッド２との間にエアーを吹き込むためのものであって、本発明にいうエアー吹出具を構成する。エアーホース４は、ホース形成壁に複数のエアー噴出口４ａを備えている。したがって、エアーホース４は、圧縮エアーが吹き込まれることにより膨張しながら、エアーを噴出すように構成されている。
【００１４】
給排気回路５は、前述のように、エアーバッグ３及びエアーホース４に対しエアーを給気し、また、エアーバッグ３のエアーを排気することを可能としたものである。すなわち、給排気回路５は、エアーポンプ１０、エアーポンプ１０から吐出されたエアーを供給する給気管１１、給気管１１中に設けられたエアーヒータ１２、給気管１１から分岐された２本の分岐管１３、１４、この２本の分岐管１３、１４のうちの１本の分岐管１３に接続された給排気用電磁弁（この場合三方電磁弁）１５、三方電磁弁１５とエアーバッグ３とを接続する６本の入口配管１６、他方の分岐管１４に接続された開閉用の二方電磁弁１７などから構成されている。なお、この二方電磁弁１７はエアーホース４に接続されている。
【００１５】
三方電磁弁１５は、分岐管１３と入口配管１６とを連通する導通位置と、入口配管１６を介してエアーバッグ３からの排気を可能とするように入口配管１６を外気に開放する開放位置との間で切換可能とされている。したがって、三方電磁弁１５は、導通位置に切り換えられたときに、分岐管１３から入口配管１６を介してエアーバッグ３にエアーを供給することができ、開放位置に切り換えられたときに、エアーバッグ３から入口配管１６を介してエアーを外気に導くことができる。
【００１６】
以上のように構成された実施の形態１のマット装置において、人体を横たえた後マット本体１及び綿パッド２を乾燥させるときは、エアーポンプ１０を駆動し、エアーヒータ１２に通電し、三方電磁弁１５を導通状態とし、二方電磁弁１７を開とする。このようにすると、エアーポンプ１０から吐出された圧縮エアーがエアーヒータ１２で加熱される。この温風は、三方電磁弁１５を介してエアーバッグ３に導かれ、エアーバッグ３が膨張する。また、温風は、同時に二方電磁弁１７を介しエアーホース４に導かれる。エアーホース４は、圧縮エアーが供給されることにより膨張しつつ、エアー噴出口４ａからマット本体１の上面と綿パッド２との間に温風を吹き込む。これに伴い、綿パッド２がテント状に張られ温風が綿パッド２とマット本体１との空間の隅々に行き渡りつつ、綿パッド２を通して外部に放出される。このようにして温風がマット本体１と綿パッド２との間を通風することによりマット本体１の上面部及び綿パッド２とが乾燥される。このような乾燥運転は、通常約２０〜３０分行えばよい。
【００１７】
次いで、乾燥運転を終了する場合は、エアーポンプ１０の運転を停止し、エアーヒータ１２を非通電とし、三方電磁弁１５を開放状態とし、二方電磁弁１７を閉とする。このようにすると、エアーポンプ１０からの圧縮エアーの供給は停止される。また、エアーバッグ３内のエアーが三方電磁弁１５から外部に排出される。また、エアーホース４及びマット本体１と綿パッド２との間に吹き込まれたエアーは綿パッド２を通して外部に放出される。
以上のように、本実施の形態に係るマット装置では、マット本体１上面部及び綿パッド２の乾燥を容易に行うことができる。
【００１８】
なお、この発明は次のように変更して具体化することができる。
（１）  上記実施の形態においては、エアーポンプ１０の吐出側にエアーヒータ１２を設けているが、このエアーヒータ１２を省略することもできる。なお、この場合はマット本体１の上面と綿パッド２との間に吹き込まれるエアーの温度が下がるので乾燥能力は低下する。
【００１９】
（２）  上記実施の形態においては、エアーバッグ３は、綿パッド２をテント状に張る支柱としてのみ用いられているが、前述の特許文献１に記載のようにマッサージ用エアーバッグに兼用させてもよい。エアーバッグ３をマッサージ用に使用する場合は、このエアーバッグ３を人体に刺激を与える適宜のパターンで膨張収縮させることによりマッサージを行うことができる。また、エアーバッグ３の形状や個数についてもマッサージ機能に対応し適宜のものにすればよい。
【００２０】
（３）  エアーバッグ３の配置及び個数、並びにエアーホース４の本数、エアーホース４におけるエアー噴出口の向きや個数などは、前述の実施の形態に限定されるものではなく、適宜のものにすることができる。
【００２１】
（４）  上記実施の形態においては、エアー吹出具としてエアーホース４が用いられているが、このエアーホース４に代わるものとして、前述のエアーバッグ３にエアー吹出口を設けてもよい。この場合、エアー吹出口は、エアーバッグ３が綿パッド２をテント状に張る支柱として機能する必要があるため、エアーバッグ３の膨張に支障をきたさない程度の小さな孔径にする必要があることはいうまでもない。なお、このように構成した場合は、エアーバッグ３は、エアー吹出具と綿パッド２をテント状に張る支柱としてのエアーバッグとを兼用するため、構成部品点数を軽減し、コスト軽減に寄与することができる。
【００２２】
【発明の効果】
この発明に係るマット用乾燥装置によれば、マット本体使用後にエアーポンプを運転することにより、マット本体の上面とパッドとの間にエアー吹出具からエアーを送りこみ、パッド及びマット本体を乾燥させることができる。したがって、このマット用乾燥装置を備えたマット装置では、気軽にパッド及びマット本体を乾燥させることができ、気持ちよく使用することができる。
【図面の簡単な説明】
【図１】本発明の実施の形態に係るマット装置の外観斜視図である。
【図２】同マット装置の断面図であって、エアーバッグ及びエアーホースを膨張させた状態を示す図である。
【図３】同マット装置の断面図であって、エアーバッグ及びエアーホースを収縮させた状態を示す図ある。
【図４】同マット装置における給排気回路図である。
【符号の説明】
１     マット本体
２     綿パッド
３     エアーバッグ
４     エアー吹出具（エアーホース）
４ａ   エアー噴出口
５     給排気回路
１０   エアーポンプ
１１   給気管
１２   エアーヒータ
【図１】
2004195116.tif 000003
【図２】
2004195116.tif 000004
【図３】
2004195116.tif 000005
【図４】
2004195116.tif 000006